(57)【要約】【課題】本発明の目的は、移動局装置の本体部とハンドセット装置間の近距離無線通信ペアリングが切断した場合に、ユーザの運用への支障を低減できるようにすることである。【解決手段】本発明の無線通信システムは、指令装置と、基地局装置と、本体部とハンドセット装置とを有する無線通信装置とを備えた無線通信システムであって、前記無線通信装置の前記本体部は、前記基地局装置と無線通信を行う第１無線部と、前記ハンドセット装置と無線通信を行う第２無線部と、前記第２無線部と前記ハンドセット装置との無線回線の切断時に前記第１無線部が前記基地局装置からデータを受信した場合には、当該データを記憶部に記憶する制御部とを備えることを特徴とする。【選択図】  図２
2018157251.tif 000002
【特許請求の範囲】
【請求項１】
指令装置と、基地局装置と、本体部とハンドセット装置とを有する無線通信装置とを備えた無線通信システムであって、
前記無線通信装置の前記本体部は、
前記基地局装置と無線通信を行う第１無線部と、
前記ハンドセット装置と無線通信を行う第２無線部と、
前記第２無線部と前記ハンドセット装置との無線回線の切断時に前記第１無線部が前記基地局装置からデータを受信した場合には、当該データを記憶部に記憶する制御部とを備える
ことを特徴とする無線通信システム。
【請求項２】
請求項１に記載の無線通信システムであって、
前記本体部の前記制御部は、前記第２無線部と前記ハンドセット装置との前記無線回線が再接続されると、前記記憶部に記憶した前記データを、前記第２無線部を介して前記ハンドセット装置に送信することを特徴とする無線通信システム。
【請求項３】
請求項１に記載の無線通信システムであって、
前記本体部の前記制御部は、前記ハンドセット装置との無線回線が再接続された場合には、前記第２無線部を介して前記記憶部に前記基地局装置から受信したデータを記憶したことを示す記録情報を前記ハンドセット装置に通知するように構成され、
ハンドセット装置は、
前記本体部の前記第２無線部と無線通信を行う第３無線部と、
前記第３無線部を介して前記本体部から前記記録情報を受信すると、その旨を表示部に表示する制御部とを備えることを特徴とする無線通信システム。
【請求項４】
本体部とハンドセット装置とを有する無線通信装置であって、
前記本体部は、基地局装置と無線通信を行う第１無線部と、前記ハンドセット装置と無線通信を行う第２無線部とを備え、
前記ハンドセット装置は、前記本体部の前記第２無線部と無線通信を行う第３無線部を備え、
前記本体部は、前記第２無線部と前記第３無線部との無線回線の切断時に前記第１無線部が前記基地局装置からデータを受信した場合には、当該データを記憶部に記憶する制御部を更に備える
ことを特徴とする無線通信装置。
【請求項５】
指令装置と、基地局装置と、本体部とハンドセット装置とを有する無線通信装置とを備えた無線通信システムであって、
前記無線通信装置の前記本体部は、
前記基地局装置と無線通信を行う第１無線部と、
前記ハンドセット装置と無線通信を行う第２無線部と、
前記第１無線部と前記基地局装置との無線通信中に、前記第２無線部と前記ハンドセット装置との無線回線が切断すると、前記第１無線部から前記ハンドセットとの無線回線が切断したことを示す信号、または、前記基地局装置との無線通信の切断を要求する信号を送信する制御部と、を備える
ことを特徴とする無線通信システム。
【請求項６】
請求項５に記載の無線通信システムであって、
前記本体部の前記制御部は、前記第２無線部と前記ハンドセット装置との無線回線が所定時間連続して切断すると、前記第１無線部から前記ハンドセットとの無線回線が切断したことを示す信号、または、前記基地局装置との無線通信の切断を要求する信号を送信することを特徴とする無線通信システム。
【請求項７】
請求項５に記載の無線通信システムであって、
前記本体部の前記制御部は、前記第２無線部と前記ハンドセット装置との無線回線が切断すると、前記基地局装置との無線通信の切断を要求する信号を送信し、前記無線回線が再接続されると、切断時間が所定時間以内であれば、前記基地局装置に対して無線通信の再接続を要求する信号を送信することを特徴とする無線通信システム。
【請求項８】
請求項５に記載の無線通信システムであって、
前記基地局装置は、前記無線通信装置から前記ハンドセットとの無線回線が切断したことを示す信号を受信すると、当該無線通信装置の通信相手に対して、その旨を通知することを特徴とする無線通信システム。
【請求項９】
本体部とハンドセット装置とを有する無線通信装置であって、
前記本体部は、
基地局装置と無線通信を行う第１無線部と、
前記ハンドセット装置と無線通信を行う第２無線部と、
前記第１無線部と前記基地局装置との無線通信中に、前記第２無線部と前記ハンドセット装置との無線回線が切断すると、前記第１無線部から前記ハンドセットとの無線回線が切断したことを示す信号、または、前記基地局装置との無線通信の切断を要求する信号を送信する制御部と、を備える
ことを特徴とする無線通信装置。
【発明の詳細な説明】
【技術分野】
【０００１】
本発明は、無線通信システムおよび無線通信装置に関するものである。
【背景技術】
【０００２】
近年、近距離無線通信を用いた無線通信システムが普及している。近距離無線通信としては、例えばBluetooth（登録商標）やZigbee（登録商標）がある。
図６と図７は、従来の近距離無線通信を使用した無線通信システムの動作について説明するための図である。
図６と図７の無線通信システムは、一つ以上の指令装置４０１と、一つ以上の基地局装置４０２と、複数の移動局装置から構成されている。
移動局装置は指令装置４０１からの一斉指令受信及び移動局間の個別通信等を行う。移動局装置は操作表示及び音響機能を有するハンドセット装置４０５，４０６と移動局本体部４０３，４０４が近距離無線通信により制御及び音声信号の通信を行う。
図６は指令装置４０１からシステム内の移動局装置に対し一斉指令を実施している状態であり、各移動局装置の本体部４０３，４０４は基地局装置４０２からの一斉指令を受信し、受信音声を近距離無線通信でハンドセット装置４０５，４０６側へ送信する。
図７は移動局装置４０３，４０５と移動局装置４０４，４０６が個別通信を行っている状態である。移動局装置の本体部４０３，４０４とハンドセット装置４０５，４０６は送話及び受話音声を近距離無線通信で送受信する。
図６、図７において、基地局装置４０２と移動局本体部４０３，４０４との間の無線通信は、SCPC（Single  Channel  Per  Carrier）方式、MCA（Multi  Channel  Access）方式、TDMA（Time  Division  Multiple  Access）方式、FDMA（Frequency  Divison  Multiple  Access）方式、公衆無線回線など種々の無線通信方式が適用され得る。
【０００３】
先行技術文献としては、例えば、特許文献１に、有線接続された無線機本体とハンドセットに、子機やハンズフリー端末装置を増設する必要が生じた場合、それを勘弁かつ安価に実現する発明が開示されている。
【先行技術文献】
【特許文献】
【０００４】
【特許文献１】特開２００８−３００９６０号公報
【発明の概要】
【発明が解決しようとする課題】
【０００５】
図６、図７に示す無線通信システムでは、移動局装置の本体部４０３，４０４とハンドセット装置４０５，４０６間の近距離無線通信ペアリング切断時は、基地局装置４０２から本体部４０３，４０４が受信した音声やデータをハンドセット装置４０５，４０６に送信できない。例えば、一斉指令を本体部４０３，４０４が受信した場合でも、ハンドセット装置４０５，４０６を所持するユーザが一斉指令を受話できない。また、個別通信中に移動局装置の本体部４０３、４０４とハンドセット装置４０５，４０６間の近距離無線通信ペアリングが切断された場合には、ハンドセット装置４０５，４０６を所持するユーザは相手側と通話することができず、さらにハンドセット装置４０５，４０６の操作による呼切断ができなくなる。
このように、従来の近距離無線通信を利用した無線通信システムでは、移動局装置の本体部とハンドセット装置との間の近距離無線通信が切断すると、種々の不具合が生じ、ユーザの運用に支障が出ていた。
そこで、本発明は、移動局装置の本体部とハンドセット装置間の近距離無線通信が切断した場合に、ユーザの運用への支障を低減できるようにすることである。
【課題を解決するための手段】
【０００６】
本発明の無線通信システムは、指令装置と、基地局装置と、本体部とハンドセット装置とを有する無線通信装置とを備えた無線通信システムであって、前記無線通信装置の前記本体部は、前記基地局装置と無線通信を行う第１無線部と、前記ハンドセット装置と無線通信を行う第２無線部と、前記第２無線部と前記ハンドセット装置との無線回線の切断時に前記第１無線部が前記基地局装置からデータを受信した場合には、当該データを記憶部に記憶する制御部とを備えることを特徴とする。
【０００７】
また、前記本体部の前記制御部は、前記第２無線部と前記ハンドセット装置との前記無線回線が再接続されると、前記記憶部に記憶した前記データを、前記第２無線部を介して前記ハンドセット装置に送信することが好ましい。
【０００８】
また、前記本体部の前記制御部は、前記ハンドセット装置との無線回線が再接続された場合には、前記第２無線部を介して前記記憶部に前記基地局装置から受信したデータを記憶したことを示す記録情報を前記ハンドセット装置に通知するように構成され、ハンドセット装置は、前記本体部の前記第２無線部と無線通信を行う第３無線部と、前記第３無線部を介して前記本体部から前記記録情報を受信すると、その旨を表示部に表示する制御部とを備えることが好ましい。
【０００９】
また、本発明の無線通信装置は、本体部とハンドセット装置とを有する無線通信装置であって、前記本体部は、基地局装置と無線通信を行う第１無線部と、前記ハンドセット装置と無線通信を行う第２無線部とを備え、前記ハンドセット装置は、前記本体部の前記第２無線部と無線通信を行う第３無線部を備え、前記本体部は、前記第２無線部と前記第３無線部との無線回線の切断時に前記第１無線部が前記基地局装置からデータを受信した場合には、当該データを記憶部に記憶する制御部を更に備えることを特徴とする。
【００１０】
また、本発明の無線通信システムは、指令装置と、基地局装置と、本体部とハンドセット装置とを有する無線通信装置とを備えた無線通信システムであって、前記無線通信装置の前記本体部は、前記基地局装置と無線通信を行う第１無線部と、前記ハンドセット装置と無線通信を行う第２無線部と、前記第１無線部と前記基地局装置との無線通信中に、前記第２無線部と前記ハンドセット装置との無線回線が切断すると、前記第１無線部から前記ハンドセットとの無線回線が切断したことを示す信号、または、前記基地局装置との無線通信の切断を要求する信号を送信する制御部と、を備えることを特徴とする。
【００１１】
また、前記本体部の前記制御部は、前記第２無線部と前記ハンドセット装置との無線回線が所定時間連続して切断すると、前記第１無線部から前記ハンドセットとの無線回線が切断したことを示す信号、または、前記基地局装置との無線通信の切断を要求する信号を送信することが好ましい。
【００１２】
また、前記本体部の前記制御部は、前記第２無線部と前記ハンドセット装置との無線回線が切断すると、前記基地局装置との無線通信の切断を要求する信号を送信し、前記無線回線が再接続されると、切断時間が所定時間以内であれば、前記基地局装置に対して無線通信の再接続を要求する信号を送信することが好ましい。
【００１３】
また、前記基地局装置は、前記無線通信装置から前記ハンドセットとの無線回線が切断したことを示す信号を受信すると、当該無線通信装置の通信相手に対して、その旨を通知することが好ましい。
【００１４】
さらに、本発明の無線通信装置は、本体部とハンドセット装置とを有する無線通信装置であって、前記本体部は、基地局装置と無線通信を行う第１無線部と、前記ハンドセット装置と無線通信を行う第２無線部と、前記第１無線部と前記基地局装置との無線通信中に、前記第２無線部と前記ハンドセット装置との無線回線が切断すると、前記第１無線部から前記ハンドセットとの無線回線が切断したことを示す信号、または、前記基地局装置との無線通信の切断を要求する信号を送信する制御部と、を備えることを特徴とする。
【発明の効果】
【００１５】
本発明によれば、移動局装置の本体部とハンドセット装置間の近距離無線通信が切断した場合に、ユーザの運用への支障を低減することができる。
【図面の簡単な説明】
【００１６】
【図１】本発明の一実施例に関わる無線通信システムの無線通信装置の構成を説明するためのブロック図である。
【図２】本発明の一実施例に関わる無線通信システムの一斉指令の動作を説明するための図である。
【図３】本発明の一実施例に関わる無線通信システムの一斉指令の動作を説明するためのフローチャートである。
【図４】本発明の一実施例に関わる無線通信システムの個別通話の動作を説明するための図である。
【図５】本発明の一実施例に関わる無線通信システムの個別通話の動作を説明するためのフローチャートである。
【図６】従来の無線通信システムの一斉指令の動作を説明するための図である。
【図７】従来の無線通信システムの個別通話の動作を説明するための図である。
【発明を実施するための形態】
【００１７】
以下、本発明の実施形態について図面を参照して詳細に説明する。
図１〜図５は本発明の一実施例である無線通信システムの動作を説明するための図である。
図１は本発明の一実施例に関わる無線通信システムの無線通信装置の構成を説明するためのブロック図である。
図２は本発明の一実施例に関わる無線通信システムの一斉指令の動作を説明するための図である。
本発明の一実施例の無線通信システム（以下、本無線通信システムという）は、指令装置１０、基地局装置２０、無線通信装置である移動局装置３０−１，３０−２（以下、移動局装置３０−１，３０−２を区別しない場合には移動局装置３０とする）で構成されている。
なお、指令装置１０と基地局装置２０は複数であってもよい。
【００１８】
移動局装置３０−１，３０−２は指令装置１０からの一斉指令受信及び移動局装置間の個別通信などを基地局装置２０を介して行う。移動局装置３０−１，３０−２は基地局装置２０と無線通信を行う本体部４０−１，４０−２（以下、本体部４０−１，４０−２を区別しない場合には本体部４０という）と、操作表示及び音響機能を有するハンドセット装置５０−１，５０−２（以下、ハンドセット装置５０−１，５０−２を区別しない場合にはハンドセット装置５０という）とからなる。本体部４０とハンドセット装置５０とは近距離無線通信（例えば、Bluetooth（登録商標）通信）によりデータ通信を行う。
【００１９】
ここで、図１を参照しながら、移動局装置３０の構成について説明する。
本体部４０は、無線部４１、記憶部４２、操作部４３、表示部４４、Bluetooth通信部（近距離無線部）４５、制御部４６を備えている。
ハンドセット装置５０は、Bluetooth通信部（近距離無線部）５１、記憶部５２、マイク５３、スピーカ５４、操作部５５、表示部５６、制御部５７を備えている。
【００２０】
無線部４１は、基地局装置２０と無線通信を行うものである。基地局装置２０との無線方式は本発明において限定されるものではなく、種々の無線方式を適用可能である。
記憶部４２は、基地局装置２０から受信した音声やデータなどの情報や、ユーザが操作部４３を介して入力した設定情報などを記憶するものである。
操作部４３は、ユーザの操作部であり、電源や音量や各種設定ボタンなどである。
表示部４４は、ＬＥＤや液晶モニタによって構成されるユーザインタフェースである。
近距離無線部４５は、ハンドセット装置５０の近距離無線部５１と近距離無線通信（ここではBluetooth通信）を行うものである。
【００２１】
制御部４６は、本体部４０全体を制御するものであり、例えばCPU（Central Process Unit）から構成される。制御部４６は、近距離無線部４５と近距離無線部５１との無線回線の接続状態を制御、監視し、切断時には後述する所定動作を行う。また、制御部４６は、近距離無線部４５と近距離無線部５１との無線回線を常に接続状態に保つように近距離無線部４５を制御しても良いし、ハンドセット装置５０が本体部４０に有線で着脱可能な場合には、有線未接続の場合にのみ、無線回線を接続するように近距離無線部４５を制御してもよい。制御部４６は、ハンドセット装置５０の着脱状態を例えば接続インターフェースからの接点信号によって検出する。
【００２２】
ハンドセット装置５０の近距離無線部５１は、上述の通り、近距離無線部４５と無線通信を行うものである。
記憶部５２は、近距離無線部４５から受信した音声やデータなどの情報や、ユーザが操作部４３を介して入力した設定情報などを記憶するものである。
マイク５３は、ユーザの音声入力部であり、スピーカ５４は近距離無線部５１が受信した音声を出力する出力部である。
操作部５５は、ユーザの操作部であり、プレストークスイッチや、各種設定ボタンなどである。
表示部５６は、ＬＥＤや液晶モニタによって構成されるユーザインタフェースである。
制御部５７は、ハンドセット装置５０全体を制御するものであり、例えばCPUから構成される。
【００２３】
次に、無線通信システムの一斉指令の動作について図２を用いて説明する。
図２に示すように、移動局装置３０−１，３０−２は、本体部４０とハンドセット装置５０が近距離無線通信によるペアリングで動作制御を行っており、無線通信で使用する送話音声の集音はマイク５３で行い、受話音声の鳴動はスピーカ５４で行う。
【００２４】
図２（Ａ）において、移動局装置３０−１は、本体部４０−１とハンドセット装置５０−１の近距離無線通信ペアリング中である。一方、移動局装置３０−２は、本体部４０−２とハンドセット装置５０−２の近距離無線通信ペアリング切断中(1)である。
このとき、移動局装置３０−１の本体部４０−１は、指令装置１０からの一斉指令を基地局装置２０を介して受信すると、近距離無線通信により本体部４０−１からハンドセット装置５０−１に受信音声信号を送信し、スピーカ５４から受信音声が再生される。一方、移動局装置４０−２は、近距離無線通信ペアリング切断中であるため、制御部４６は基地局装置２０から受信した一斉指令の音声信号情報を記憶部４２に記憶する。(2)。
【００２５】
図２（Ｂ）において、移動局装置３０−２は、本体部４０−２の近距離無線部４５とハンドセット装置５０−２の近距離無線部５１との近距離無線通信ペアリングが再接続され(3)、制御部４６が近距離無線通信ペアリング接続を検出すると(4)、ハンドセット装置５０−２に対し、近距離無線部４５を介して一斉指令の録音がある旨を通知する(5)。そして、ハンドセット装置５０−２ではユーザ操作により一斉指令の再生(6)を行うことができる。
【００２６】
次に、無線通信システムのより詳細な動作について図３を用いて説明する。
図３は本発明の一実施例に関わる無線通信システムの一斉指令時の動作を説明するためのフローチャートである。
一斉指令はすべての移動局装置３０に対して送信される音声またはデータ送信であり、指令装置１０のユーザが図示しない操作部を操作して一斉指令を指定することにより、基地局装置２０から送信される。基地局装置２０から送信される無線信号には、制御情報として、指令種別（例えば一斉指令、グループ指令、個別通信、グループ通信等）を示す情報や宛先を示す情報が含まれている。移動局装置３０の本体部４０の制御部４６は、制御情報に基づいて指令種別や自信が受信すべき信号であるか否かを判断する。
【００２７】
そして、制御部４６は基地局装置２０からの一斉指令を受信した場合（Ｓ３０１）、ハンドセット装置５０との近距離無線通信ペアリング状態を判定する（Ｓ３０２）。近距離無線部４５，５１間のペアリング状態は、近距離無線部４５から定期的に制御部４６に通知されており、制御部４６はこの情報に基づいてペアリング状態を判定する。なお、制御部４６が近距離無線部４５にペアリング状態を問合せるように構成されていてもよい。
ここで、制御部４６はペアリング接続中と判定するとＳ３０３の処理に進み、切断中と判定するとＳ３０４の処理に進む。
【００２８】
制御部４６は、Ｓ３０３の処理では無線部４１が受信した一斉指令情報を近距離無線部４５を介してハンドセット装置５０に送信し、ハンドセット装置５０のスピーカ５４から一斉指令を鳴動させ、処理を終了する（Ｓ３１１）。
制御部４６は、Ｓ３０４の処理では記録機能のユーザ設定を判定する。移動局装置３０ではユーザによる操作部４３または５５の操作によって、一斉指令受信時に近距離無線通信ペアリングが切断していた場合に一斉指令を記録するか否かの設定情報を設定可能である。この設定は指令種別に応じて設定可能とすることが好ましい。ここで、ユーザ設定が記録しない設定の場合には制御部４６は処理を終了する（Ｓ３１１）。一方、ユーザ設定が録音する設定の場合には、制御部４６は無線部４１が受信した一斉指令を記憶部４２に記録し（Ｓ３０５）、Ｓ３０６の処理に進む。
【００２９】
制御部４６は、Ｓ３０６の処理では近距離無線部４５，５１間の近距離無線通信ペアリング状態を判定し、切断中の場合にはＳ３０６の処理に戻り、再接続したと判定した場合には近距離無線部４５から近距離無線部５１へ一斉指令を記録したことを示す記録情報を通知し（Ｓ３０７）、Ｓ３０８の処理に進む。
【００３０】
制御部４６は、Ｓ３０８の処理では記録した一斉指令情報送信（ここでは音声再生）の要否を判定する。ここで、ハンドセット装置５０の制御部５７は、近距離無線部５１が記録情報を受信すると、記憶部５２に記録するとともに、表示部５６に記録情報を受信した旨を表示する。そして、ユーザによる操作部５５の操作で、記録情報を読み出すための操作がなされると、制御部５７は記録情報の送信要求信号を近距離無線部５１を介して本体部４０に送信する。そして、本体部４０の制御部４６は、ハンドセット装置５０から送信要求信号を受信すると、送信要と判定してＳ３０９の処理に進む。一方、ユーザによる操作部５５の操作で、記録情報を読み出さない選択がなされた場合には、制御部５７は送信不要信号を近距離無線部５１を介して本体部４０に送信する。制御部４６は送信不要信号を受信すると、Ｓ３１０の処理に進む。
【００３１】
制御部４６は、Ｓ３０９の処理では記憶部４２に記憶した一斉指令情報を近距離無線部４５からハンドセット装置５０へ送信し、ハンドセット装置５０のスピーカ５４から一斉指令を鳴動させ、Ｓ３１０の処理に進む。つまり、ハンドセット装置５０では、制御部５７が近距離無線部５１が受信した一斉指令情報をスピーカ５４から出力する。
制御部４６は、Ｓ３１０の処理では録音の削除をするか否かを判定し、録音を削除しない場合にはＳ３０８の処理に戻り、録音を削除する場合には処理を終了する（Ｓ３１１）。録音を削除するか否かは、ユーザによって予め設定された設定情報に基づくか、あるいは、ハンドセット装置５０におけるユーザの操作部５５の操作に基づく。
【００３２】
このように、本実施例によれば、本体部４０とハンドセット装置５０との近距離無線通信ペアリングが切断中に、一斉指令などの重要な情報を本体部４０が基地局装置２０から受信した場合には、受信した情報が記憶部４２に記憶されるので、ユーザは後ほど確認することができる。上述した実施例では、ハンドセット装置５０が再接続した場合にハンドセット装置５０から記録した情報を確認する場合を説明した。加えて、本体部４０の操作部４３の操作によって本体部４０において記録した情報を確認することもできる。
【００３３】
また、本実施例では、本体部４０とハンドセット装置５０との近距離無線通信ペアリングが再接続された際に、記憶情報を本体部４０からハンドセット装置５０に通知するので、ユーザは一斉指令が記録されていること知ることができる。さらに、ユーザの操作部５５の操作によりハンドセット装置５０にて記憶部４２に記憶された受信情報を確認することができる。
さらに、本実施例では、近距離無線通信の切断時に一斉指令を受信した場合に記憶部４２に記憶するか否かを設定することができる。通信種別に応じて設定することにより、大切な情報だけを記憶させることができるのでユーザの利便性が向上する。
【００３４】
次に、無線通信システムの個別通信の動作について図４を用いて説明する。
図４（Ａ）は、移動局３０−１と移動局３０−２とが基地局装置２０を介して個別通信中に移動局装置３０−２の本体部４０−２とハンドセット装置５０−２との近距離無線通信ペアリングが切断した場合を示している。
個別通信中に移動局装置３０−２の本体部４０−２とハンドセット装置５０−２との近距離無線通信ペアリングが切断すると(1)、本体部４０−２の制御部４６は近距離無線通信ペアリング切断を検出し(2)、個別通信の呼切断要求を基地局装置２０に送信する(3)。これにより、移動局３０−１と移動局３０−２との個別通信は切断される。
【００３５】
図４（Ｂ）において、移動局装置３０−２の本体部４０−２とハンドセット装置５０−２とが再接続すると(4)、制御部４６は近距離無線通信ペアリングが再接続を検出する(5)。そして、制御部４６は近距離無線通信ペアリング切断時間が所定時間内（例えば、１分以内）であれば、ハンドセット装置５０−２へ自動発呼を通知するとともに(6)、基地局装置２０に対して移動局装置３０−１に対する個別通信要求（自動発呼）を送信し(7)、移動局装置３０−１との個別通信を自動的に再開する。
【００３６】
図５は本発明の一実施例に関わる無線通信システムの個別通話の動作を説明するためのフローチャートである。
図５において、移動局装置３０の本体部４０の制御部４６は、基地局装置２０を介して他の移動局装置３０と個別通信中（Ｓ３２１）の場合にはハンドセット装置５０との近距離無線通信ペアリング状態を判定し（Ｓ３２２）、接続中の場合にはＳ３２２の処理に戻り、切断の場合にはＳ３２３の処理に進む。
【００３７】
制御部４６は、Ｓ３２３の処理では基地局装置２０に対して他の移動局装置３０との個別通信を切断すべく、無線通信の切断要求を送信し、Ｓ３２４の処理に進む。なお、基地局装置２０により他の移動局装置３０との無線通信は切断される。このとき、基地局装置２０は、他の移動局装置３０に対して、本体部４０とハンドセット装置５０との近距離無線通信ペアリングの切断が原因であることを通知することが好ましい。これにより、通信相手はなぜ通信が切断したのかを知ることができ、再発呼などの不要な通信を発生させなくて済む。
そして、制御部４６は、Ｓ３２４の処理ではハンドセット装置５０との近距離無線通信ペアリング状態を判定し、つまり、監視しており、切断中の場合にはＳ３２４の処理に戻り、再接続を検出した場合にはＳ３２５の処理に進む。
【００３８】
制御部４６は、Ｓ３２５の処理では自動発呼機能のユーザ設定を判定し、ユーザ設定が発呼しない場合には処理を終了し（Ｓ３２９）、ユーザ設定が発呼する場合にはＳ３２６の処理に進む。つまり、移動局装置３０では、ユーザが操作部４３または５５を操作して近距離無線通信ペアリング切断による呼切断後にペアリング再接続した場合に、当該呼を再接続するか否かを記憶部４２に設定できる。
【００３９】
制御部４６は、Ｓ３２６の処理ではハンドセット装置５０との近距離無線通信ペアリングの切断後から近距離無線通信ペアリングの再接続までの時間がユーザ設定の所定時間（例えば、１分）以内か否かを判定し、所定時間外である場合には処理を終了し（Ｓ３２９）、所定時間以内である場合には基地局装置２０に対して他の移動局装置３０への個別通信を発呼し（Ｓ３２７）、個別通信の処理に進む（Ｓ３２８）。
【００４０】
従来は、個別通信中に、本体部４０とハンドセット装置５０との近距離無線通信ペアリングが切断すると、相手方の移動局装置３０は会話等ができない理由がわからないまま、呼接続が接続状態のままとなっていた。しかし、本実施例によれば、制御部４６が近距離無線通信ペアリングの切断を検出すると、基地局装置２０に対して無線通信の切断を要求する信号を送信するので、呼接続を切断することができ、貴重な無線資源を無駄にすることがなくなる。
さらに、切断理由を通知するので、相手方はなぜ通信できなくなったかを知ることができる。また、制御部４６は所定時間以内であれば、個別通信を再接続するので、ユーザは操作することなく通信を復活させることができ、利便性が向上する。
【００４１】
なお、上述した本実施例では、制御部４６が近距離無線通信ペアリングの切断を検出するとすぐに、基地局装置２０に対して切断要求を送信したが、本発明はこれに限らず、制御部４６はユーザ設定、あるいは、予め設定された時間連続して近距離無線通信ペアリングが切断した場合に、切断要求を送信するように構成してもよい。これにより、近距離無線通信ペアリング切断時にむやみに切断することを抑止でき、近距離無線通信ペアリングがすぐに再接続した場合には無線回線は切断されることなく、そのまま通信を継続することができる。
【００４２】
以上、本発明の一実施形態について詳細に説明したが、本発明は上述した実施形態に限定されるものではなく、本発明の趣旨を逸脱しない範囲で種々変更して実施することができる。
【産業上の利用可能性】
【００４３】
移動局装置の本体部に録音機能を有することによって、ハンドセット装置間の近距離無線通信ペアリング切断時に一斉指令を録音し、近距離無線通信ペアリング再接続時に一斉指令をハンドセット装置に鳴動させる用途に適用できる。
【符号の説明】
【００４４】
１０，４０１：指令装置、２０，４０２：基地局装置、３０，３０−１，３０−２，４０３，４０４：移動局装置、４０５，４０６，５０，５０−１，５０−２：ハンドセット装置、４０，４０−１，４０−２：本体部、４１：無線部、４２，５２：記憶部、４３，５５：操作部、４４，５６：表示部、４５，５１：Bluetooth通信部、４６，５７：制御部、５３：マイク、５４：スピーカ。
【図１】
2018157251.tif 000003
【図２】
2018157251.tif 000004
【図３】
2018157251.tif 000005
【図４】
2018157251.tif 000006
【図５】
2018157251.tif 000007
【図６】
2018157251.tif 000008
【図７】
2018157251.tif 000009